(57)【特許請求の範囲】
【請求項１】
直交位相変調（ＱＰＳＫ）方式のコード分割多重（ＣＤＭＡ）受信システムにおいて、
電圧制御発振手段を制御して発振周波数信号の位相を制御するための位相同期化手段と；
前記位相同期化手段によって制御され発振された周波数信号を、アンテナを介して受信された無線周波数信号と混合するための周波数混合手段と；
前記周波数混合手段を通過した信号を復調するための復調手段と；
前記復調手段によって復調されたＩ信号およびＱ信号を検出するための信号検出手段と；
前記信号検出手段によって検出された前記Ｉ信号および前記Ｑ信号のＩＱ座標系における測定位置と、該ＩＱ座標系における基準信号の常駐位置とを比較して、前記常駐位置に対する前記測定位置の散らばり状態を示す円の形状の大きさと、前記常駐位置から前記測定位置までのエラーベクトルの大きさとを算出する比較判断手段と；
前記比較判断手段の比較結果によって、前記位相同期化手段及び前記復調手段を選択的に制御し、前記復調手段で復調される前記Ｉ信号および前記Ｑ信号の前記ＩＱ座標系における前記測定位置の散らばり状態を改善する制御手段と；
を含むことを特徴とするコード分割多重受信システム。
【請求項２】
前記比較判断手段は、前記信号検出部から出力される信号の入力に基づいて前記円の形状の大きさと前記エラーベクトルの大きさとを計算するためのマイクロプロセッサーを含むことを特徴とする請求項１記載のコード分割多重受信システム。
【請求項３】
請求項１に記載のコード分割多重受信システムを用いた通話品質低下防止方法であって、
アンテナにて受信された無線周波数信号が前記復調手段を通過すると、該復調手段から出力されるＩ信号とＱ信号をそれぞれ検出する第１段階と；
前記検出されたＩ信号とＱ信号のＩＱ座標系における測定位置と、該ＩＱ座標系における基準信号の常駐位置とを比較して、前記常駐位置に対する前記測定位置の散らばり状態を示す円の形状の大きさと、前記常駐位置から前記測定位置までのエラーベクトルの大きさとを算出する第２段階と；
前記算出の結果、前記円の形状の大きさおよび前記エラーベクトルの大きさをそれぞれ基準値と比較して、その比較結果に基づいて、前記位相同期化手段及び前記復調手段を制御して、前記測定位置の散らばり状態を改善する第３段階と；
を含むことを特徴とする通話品質低下防止方法。
【請求項４】
前記第３段階において、前記円の形状の大きさが正常基準値（Ｎ）より大きいか、および、前記エラーベクトルの大きさ（ＥＶＭ）が正常基準値（Ｎ）より小さいかを１次チェックし、いずれもＮＯであれば、前記Ｉ信号およびＱ信号が正常範囲内にあるので、前記第１段階に復帰し、前記１次チェックの結果、そのいずれかがＹＥＳであれば、前記円の形状の大きさが臨界基準値より大きいか、および、エラーベクトルの大きさ（ＥＶＭ）が臨界基準値（Ｃ）より小さいかを２次チェックし、該２次チェックの結果、いずれもＮＯであれば、前記位相同期化手段と前記復調手段を制御して前記測定位置の散らばり状態を改善し、該２次チェックの結果、いずれか一つ以上がＹＥＳであれば、前記位相同期化手段を制御して、通話チャンネルを変更することを特徴とする請求項３記載の通話品質低下防止方法。
【発明の詳細な説明】
【０００１】
【発明の属する技術分野】
本発明はコード分割多重システムの通話品質低下防止回路及び方法に係り、より詳しくはＣＤＭＡ変復調方式の受信端で干渉信号や刺激（ｓｐｕｒ）による通話品質の低下を防止するに適した通話品質低下防止回路及び方法に関する。
【０００２】
【従来の技術】
一般にＣＤＭＡ変復調方式の通信システムにおいて、通話中に干渉信号または刺激が生ずるか存在する時、その影響で通話品質が低下する傾向がある。
【０００３】
従来技術における通話品質低下を説明すれば次のようである。
【０００４】
図１は一般的なＣＤＭＡ変復調方式の受信回路のブロック図である。
【０００５】
図１によれば、ＣＤＭＡ受信回路は低雑音増幅器（ＬＮＡ）１１１、第１帯域通過フィルター（ＢＰＥ）１１２、位相同期ループ（ＰＬＬ）１１３、電圧制御発振器（ＶＣＯ）１１４、周波数混合器１１５、第２帯域通過フィルター１１６、復調器１１７、低域通過フィルター（ＬＰＦ）１１８、アナログ−デジタル変換器１１９、基底帯域モデム１２０を含んで構成される。
【０００６】
ここでＩは同位相データで、Ｑは直交位相データであり、ＲＦは無線周波数信号で、ＩＦは中間周波数信号をそれぞれ指称する。
【０００７】
このような構成に係るＣＤＭＡ受信回路の場合、アンテナに入力されたＲＦＲ信号は低雑音増幅器１１１で増幅し、第１帯域通過フィルター１１２を通過して不要波成分を取り除いた後、周波数混合器１１５に入力される。周波数混合器１１５によって位相同期ループ１１４の制御を受ける電圧制御発振器１１３の出力信号と混合したＲＦ信号は、ＩＦ信号に変換され、さらに第２帯域通過フィルター１１６を経た後、復調器１１７に入力される。
【０００８】
復調器１１７では入力されたＩＦ信号を基底帯域Ｉ、Ｑ信号に変換する。復調された信号は、低域通過フィルター１１８を経た後、アナログ−デジタル変換器１１９を経てデジタルデータに変換され、基底帯域モデム１２０に行って元の信号が再生される。
【０００９】
ところで、ＣＤＭＡ変復調方式を使用する従来の受信回路において、搬送波フィードスルー（ｆｅｅｄ  ｔｈｒｏｕｇｈ）や通話の中に帯域内の干渉信号または刺激が生ずるか、または存在すると、これは通話品質に非常に大きな影響を及ぼす。実際このような干渉信号は様々なテスト電波及び同一セルまたは隣接セルの間の干渉または周波数再使用など種々の要因によって存在するようになる。干渉信号源の電力が現在の通話電力レベルより大きい場合、  呼断絶及び深刻な通話品質の低下を誘発するのみならず、甚だしくは干渉信号の電力が現在の通話電力レベルより小さいとしてもある程度までは品質に影響を与えるので、これに対する対策が切実に要求される。
【００１０】
【発明が解決しようとする課題】
本発明はかかる従来の問題点を解消するためになされたもので、その目的はＣＤＭＡ変復調方式の受信端で復調された信号を検出し、干渉信号や刺激成分の除去のために位相同期ループを制御することにより、通話品質の低下を防止するようにしたコード分割多重アクセスシステムの通話品質低下防止回路を提供することにある。
【００１１】
本発明の他の目的は、ＣＤＭＡ変復調方式の受信端で復調された信号を検出し、設定された基準信号と比較した後、干渉信号や刺激成分を制御するために復調器及び位相同期ループを制御するようにしたコード分割多重アクセスシステムの通話品質低下防止方法を提供することにある。
【００１２】
【課題を解決するための手段】
上記目的を達成するために、本発明のコード分割多重アクセスシステムの通話品質低下防止回路は、電圧制御発振手段を制御して発振周波数信号の位相を制御するための位相同期化手段と；前記位相同期化手段によって制御され発振された周波数信号を、アンテナを介して受信された無線周波数信号と混合するための周波数混合手段と；前記周波数混合手段を通過した信号を復調するための復調手段と；前記復調手段によって復調された信号を検出するための信号検出手段と；前記信号検出手段によって検出された信号の星状及びエラーベクトルを算出し、これを設定された基準信号と比較するための比較判断手段と；前記比較判断手段の比較結果によって、位相同期化手段、周波数混合手段及び復調手段を選択的に制御し、前記復調手段で復調される信号の星状及びエラーベクトル大きさが前記基準信号に合わせるようにするための制御手段と；を含むことを特徴とする。
【００１３】
また、本発明のコード分割多重アクセスシステムの通話品質低下防止方法は、アンテナを介してＣＤＭＡ受信端に受信された無線周波数信号が復調手段を通過すると、Ｉ信号とＱ信号をそれぞれ検出する第１段階と；前記検出されたＩ信号とＱ信号を設定値と比較し、星状の大きさ及びエラーベクトル大きさを計算し、これを設定された基準信号と比較する第２段階と；前記比較の結果、前記検出された信号のエラーベクトル大きさが基準値より大きい場合、周波数混合手段及び復調手段を制御して通話品質を改善する第３段階と；を含むことを特徴とする
【００１４】
【発明の実施の形態】
以下、添付図を参照して本発明に係る好適な実施例を説明する。
【００１５】
図２は本発明の実施例に係るコード分割多重アクセスシステムの通話品質低下防止回路のブロック図であり、図３は干渉信号が含まれた復調データのベクトルダイヤグラムであり、図４は本発明の実施例に係るコード分割多重アクセスシステムの通話品質低下防止方法の順序図である。
【００１６】
図２に示すように、本実施例の通話品質防止回路は、ＣＤＭＡ受信端に適用されるもので、低雑音増幅器２１１、第１帯域通過フィルター２１２、位相同期ループ２１３、電圧制御発振器２１４、周波数混合器２１５、第２帯域通過フィルター２１６、復調器２１７、低域通過フィルター２１８、アナログ−デジタル変換器２１９、エラー計算と比較判断手段が付加された基底帯域モデム２２０、信号検出制御端２３０を含んでなる。
【００１７】
ここでＩ、Ｑ、ＲＦ、ＩＦはそれぞれ同位相データ、直交位相データ、無線周波数信号、中間周波数信号である。
【００１８】
従来ＣＤＭＡ受信端では、内部的な要因または外部の干渉信号及び刺激が存在する時、通話品質は極めて低下する。このような現象は復調器２１７を通過した信号を検出して基準信号と比較して見るとわかる。
【００１９】
一般に通話の中で帯域内の干渉信号の存在可否と関して復調器２１７を通過したデータの星状（Ｃｏｎｓｔｅｌｌａｔｉｏｎ；●印で構成される）は図３のように示される。すなわち、直交位相変調（ＱＰＳＫ）方式のＣＤＭＡ復調データは、外部の干渉信号のない場合をオシロスコープで表示すると、図３（ａ）のような星状を示し、一方、帯域内外部の干渉信号が存在する場合には、図３（ｂ）のような星状を示す。外部干渉信号が存在する場合には、波形の質と係わるデータの値が悪くなる。
【００２０】
具体的に帯域内干渉信号または刺激が存在する場合とそうでない場合を比べて説明すると、普通復調器２１７で搬送波フィードスルーが多い場合または帯域内干渉信号が存在する場合には、図３（ｂ）のように信号の星状は基準信号と比較して円の形状に散らばる傾向を示す。散らばる程度は搬送波フィードスルーまたは干渉信号の大きさが大きければ大きいほどもっと広くなる。このような現象は信号の大きさが一定せず位相が一定範囲内で変化されるからで、システムのエラーベクトル大きさ（Ｅｒｒｏｒ  Ｖｅｃｔｏｒ  Ｍａｇｎｉｔｕｄｅ、またはＥＶＭ）値が著しく低下し、その程度が大きい場合には通話品質に深刻な悪影響を及ぼす。
【００２１】
従って、搬送波フィードスルーにより星状が散らばる場合、これは主に周波数混合器２１５のマッチング及び復調器２１７のＩデータとＱデータの不均衡に起因するので、制御部２３２を用いてその値を調節することにより、搬送波フィードスルーによる星状の散らばりを改善することができる。
【００２２】
よって、本実施例は一般的なＣＤＭＡ受信端の回路構成で、信号検出部２３１、基底帯域モデム２２０に信号の星状とエラーを計算し、設定された基準信号と比較判断する手段、及び制御部を付け加える。
【００２３】
信号検出部２３１は復調器２１７を通過した信号から、干渉信号や刺激など通話品質の低下要因になる成分を検出する。
【００２４】
比較判断手段は信号検出部２３１から出力される信号の入力を受けて信号の星状とエラーベクトルを計算し、設定された基準信号と比較判断し、制御部２３２はこの比較判断手段の結果出力により干渉信号や刺激などの成分を除去するために復調器２１７及び位相同期ループ２１３を制御する。ここで比較判断手段は信号検出部から出力される信号の入力を受けて信号の星状とエラーベクトルを計算するためにマイクロプロセッサーを含んでなるが、該マイクロプロセッサーは既存の基底帯域モデムの構成要素のものを利用しても良く、新しいものを設置して使っても良い。
【００２５】
制御機２３２は位相同期ループの位相角を制御することにより、ＶＣＯの発振周波数を変更させて周波数混合器２１５のマッチングを改善することができ、搬送波フィードスルーを減少させることができ、また復調器２１７の信号または局部発振周波数感度を制御し、Ｉ信号とＱ信号の不均衡を改善することができる。
【００２６】
また周波数混合器２１５と復調器２１７を制御しても通話品質が改善できないほどに帯域内の干渉信号または刺激が激しい場合、制御機で位相同期ループ２１３を制御し、使用されるチャンネルを他の周波数帯域にハンドオフ（Ｈａｎｄｏｆｆ）して使うことにより、干渉信号または刺激による影響から脱することができる。
【００２７】
このように構成される装置に適用される運用方法の実施例を説明する。
【００２８】
図４は比較判断手段で行われる過程を説明するためのフローチャートである。本実施例はＣＤＭＡ受信端で復調器２１７を通過した信号を検出して基準信号と比較した後、エラーベクトル大きさと星状の形態により、搬送波フィードスルーを改善するか、使用されるチャンネル周波数を移動させる。
【００２９】
具体的な遂行過程を見ると、まずアンテナを介して受信され低雑音増幅器２１１及び第１帯域通過フィルター２１２を通過した受信信号と、位相同期ループ２１３によって制御される電圧制御発振器２１４の発振周波数信号とが、周波数混合器２１５により混合された後、その混合信号がさらに第２帯域通過フィルター２１６を経った後、復調器２１７により復調される。復調された信号はＩ信号とＱ信号に分離されるが、これら信号は低雑音増幅器２１１に印加される一方、信号検出部２３１に印加される。
【００３０】
信号検出部２３１では、復調器２１７を通過したＩ及びＱ信号から、干渉信号や刺激など通話品質の低下可否を判断できる要因になる成分を検出する（Ｓ３１）。
【００３１】
信号検出部２３１から出力される信号は基底モデムの比較判断手段に印加され、星状の形態とエラーベクトル値が計算され、このエラーベクトル値が基準値と比較される（Ｓ３２）。
【００３２】
基底帯域モデムの比較判断手段では、復調信号のエラーベクトル大きさが設定の基準値（例：０．９５）を超過するかの判断と、復調信号の星状が円形であるかの判断とを行う。
【００３３】
星状が基準値Ｎより大きいかと、エラーベクトル値ＥＶＭが基準値Ｎより小さいかとを１次チェックし、その結果、いずれもＮＯであれば、信号が正常範囲内にあるので、Ｓ３１段階に復帰し（Ｓ３３１）、この過程を繰り返す。
【００３４】
Ｓ３３１で１次チェック結果、そのいずれかがＹＥＳであれば、星状が  臨界基準値より大きいかと、エラーベクトル値ＥＶＭが臨界基準値Ｃより小さいかとを２次チェックし、２次チェック結果、いずれもＮＯであれば、周波数混合器２１５と復調器２１７を制御して通話品質を改善させる信号を制御部２３２に出力し（Ｓ３３２）、制御部では通話品質改善のための動作を行う（Ｓ３４）。
【００３５】
万一２次チェック結果、いずれか一つ以上がＹＥＳであれば、ＰＬＬ２１３を制御し、他のチャンネルに変更させる信号を制御部２３２に出力し（Ｓ３３２）、制御部では通話チャンネルを変更する制御動作を行う（Ｓ３５）。
【００３６】
要するに、比較判断手段での比較結果、星状が正常基準値以下であり、復調信号のエラーベクトル大きさが設定の正常基準値以上であれば、品質改善動作なしでそのままにしておく。
【００３７】
万が一、星状が臨界基準値以上であるか、復調信号のエラーベクトル大きさが設定の臨界基準値以下であれば、制御部２３２は位相同期ループ２１３を制御し、使用されるチャンネル（周波数）の移動が行われるようにする。この際、チャンネル移動にはハンドオフ方式を使用し、帯域内干渉信号や刺激が含まれたチャンネルの使用を中止することにより、該当の干渉信号などの影響から脱するようになる（Ｓ３５）。
【００３８】
万が一、星状が正常基準値と臨界基準値との間にあり、エラーベクトル大きさが正常基準値と臨界基準値の間にあれば、制御部２３２は周波数混合器２１５及び復調器２１７を制御し、エラーベクトル大きさを制御する。これにより、エラーベクトル大きさの改善が成される（Ｓ３４）。
【００３９】
このように復調器２１７を通過したＩ信号とＱ信号を検出して基準信号と比較し、星状が原点を基準として円形に散らばって分布するか、通話の中でエラーベクトル大きさが基準値以下になると、周波数混合器２１５及び復調器２１７のＩ信号とＱ信号間の不均衡を補正するか、位相同期ループ２１３を制御して通話チャンネルを変更する。
【００４０】
以上説明した実施例は本発明の多様な変化、変更及び均等物の範囲に属する。従って、本発明は実施例についての記載内容に限定されるものではない。
【００４１】
【発明の効果】
本発明のコード分割多重アクセスシステムの通話品質低下防止回路及びその運用方法によれば、ＣＤＭＡ変復調方式の受信端では、システム内部で発生する原因である場合には、制御機の制御によりその程度を減少させ、外部の干渉がその原因である場合には、端末のチャンネルをハンドオフして使うことにより、干渉信号の影響から脱することができる。従って、通話中に発生するおそれがある通話品質の低下及び呼断絶現象を防止し、より向上した通信サービスを提供することができる。
【図面の簡単な説明】
【図１】一般的なＣＤＭＡ変復調方式の受信回路のブロック図である。
【図２】本発明の実施例に係るコード分割多重アクセスシステムの通話品質低下防止回路のブロック図である。
【図３】干渉信号が含まれた復調データのベクトルのダイヤグラムである。
【図４】本発明の実施例に係るコード分割多重アクセスシステムの通話品質低下防止方法の順序図である。
【符号の説明】
２１１  低雑音増幅器
２１２  第１帯域通過フィルター
２１３  位相同期ループ
２１４  電圧制御発振器
２１５  周波数混合器
２１６  第２帯域通過フィルター
２１７  復調器
２１８  低域通過フィルター
２１９  アナログ−デジタル変換器
２２０  基底帯域モデム
２３０  信号検出制御端
２３１  信号検出部
２３２  制御部
【図１】
0003793149.tif 000002
【図２】
0003793149.tif 000003
【図３】
0003793149.tif 000004
【図４】
0003793149.tif 000005